【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
コアを有する光ファイバを位置合わせするデータ処理システムであって、前記コアは、該コアに沿った繰返しパターンを有するように、前記コアに沿って刻まれた、近接した間隔の複数の光学格子を含み、当該データ処理システムは、
所定の基準反射データ及び測定反射データを記憶するように構成されたメモリであって、前記測定反射データは、前記コアから受光した散乱反射に対応する干渉パターンから検出される、メモリと、
該メモリに結合されたデータ処理回路と、を有しており、
該データ処理回路は、
前記繰返しパターンによる反射に対応する情報を前記測定反射データから減少又は除去して、フィルタ処理された測定データを生成し、
該フィルタ処理された測定データの１つ又は複数の部分を前記基準反射データの１つ又は複数の部分と相関させて、複数の相関値を生成し、
該複数の相関値のうちの最大の相関値を決定し、
該最大の相関値に対応する前記コアに沿った位置を特定するように構成される、
データ処理システム。
【請求項２】
前記データ処理回路は、
前記繰返しパターンに起因する反射に対応する情報を前記基準反射データから減少又は除去して、フィルタ処理された基準データを生成するようにさらに構成され、
前記データ処理回路は、前記フィルタ処理された測定データの前記１つ又は複数の部分を前記基準反射データの前記１つ又は複数の部分と相関させて、
該フィルタ処理された測定データの選択されたセグメントのセットを、前記フィルタ処理された基準データの選択されたセグメントと相関させて、前記複数の相関値を生成する、又は前記フィルタ処理された測定データの選択されたセグメントを、前記フィルタ処理された基準データの選択されたセグメントのセットと相関させて、前記複数の相関値を生成する、ことにより、前記複数の相関値を生成するように構成される、請求項１に記載のデータ処理システム。
【請求項３】
前記フィルタ処理された測定データは、前記複数の光学格子の隣接する光学格子同士の間のコアセグメントについて検出されたレイリー散乱データと、前記複数の光学格子の重なり合う光学格子に対応するコアセグメントについて検出された反射データと、の少なくとも一方を含む、請求項１又は２に記載のデータ処理システム。
【請求項４】
前記複数の光学格子からの反射が中心波長を有しており、前記データ処理回路は、前記中心波長に対応するスペクトルピークに関する情報を前記測定反射データから減少又は除去して、前記フィルタ処理された測定データを生成するようにさらに構成される、請求項１乃至３のいずれか一項に記載のデータ処理システム。
【請求項５】
前記光ファイバは、複数の螺旋状コアを含み、該複数の螺旋状コアの各コアは、各コアに沿って刻まれた、近接した間隔の複数の光学格子を含み、前記データ処理回路は、前記複数の螺旋状コアの外側のコアに対応する反射格子スペクトルを中心波長に戻すように圧縮するようにさらに構成される、請求項１乃至４のいずれか一項に記載のデータ処理システム。
【請求項６】
前記データ処理回路は、前記基準反射データのサイズを前記測定反射データのサイズに縮小するようにさらに構成される、請求項１乃至５のいずれか一項に記載のデータ処理システム。
【請求項７】
前記データ処理回路は、探索範囲内に第１の解像度を有するインデックス増分だけ、前記フィルタ処理された測定データの前記１つ又は複数の部分を増分的に変更するようにさらに構成され、前記データ処理回路は、隣接するインデックス同士の間を補間して、より細かい解像度を実現するように構成される、請求項１乃至６のいずれか一項に記載のデータ処理システム。
【請求項８】
前記データ処理回路は、複数の相関値の放物線近似を決定し、該放物線近似を用いて前記最大の相関値に対応する前記コアに沿った前記位置を決定する、ことにより、前記フィルタ処理された測定データの前記１つ又は複数の部分を前記基準反射データの前記１つ又は複数の部分と相関させるように構成される、請求項１乃至７のいずれか一項に記載のデータ処理システム。
【請求項９】
前記データ処理回路は、データの複数のセットを平均して、前記測定反射データを決定するように構成される、請求項１乃至８のいずれか一項に記載のデータ処理システム。
【請求項１０】
前記相関値のいずれもが閾値を超えない場合に、前記データ処理回路は、前記光ファイバが前記基準反射データと一致しないと判定するように構成される、請求項１乃至９のいずれか一項に記載のデータ処理システム。
【請求項１１】
前記データ処理回路は、前記複数の相関値に基づいて複数の異なる光ファイバから前記光ファイバを特定する、又は前記複数の相関値に基づいて、光ファイバが干渉測定システムに接続されているかどうかを特定する、又は前記光ファイバについて検出された反射信号レベルとノイズフロアとの比較に基づいて、干渉測定システムへの光ファイバの望ましくない接続を検出する、ようにさらに構成される、請求項１乃至１０のいずれか一項に記載のデータ処理システム。
【請求項１２】
コアを有する光ファイバを位置合せする方法であって、前記コアは、該コア内に繰返しパターンを有するように、前記コアに沿って刻まれた、近接した間隔の複数の光学格子を含み、当該方法は、
前記コアから受光した散乱反射に対応する干渉パターンを検出するステップと、
前記干渉パターンから測定反射データを決定するステップと、
前記コア内の繰返しパターンによる反射に対応する情報を前記測定反射データから減少又は除去させて、フィルタ処理された測定データを生成するステップと、
前記フィルタ処理された測定データの１つ又は複数の部分を所定の基準反射データの１つ又は複数の部分と相関させて、複数の相関値を生成するステップと、
前記複数の相関値のうちの最大の相関値を決定するステップと、
前記最大の相関値に対応する前記コアに沿った位置を特定するステップと、を含む、
方法。
【請求項１３】
前記複数の光学格子内の前記繰返しパターンに起因する反射に対応する情報を前記基準反射データから減少又は除去して、フィルタ処理された基準データを生成するステップと、
前記フィルタ処理された測定データの選択されたセグメントのセットを、前記フィルタ処理された基準データの選択されたセグメントと相関させて、前記複数の相関値を生成する、又は前記フィルタ処理された測定データの選択されたセグメントを、前記フィルタ処理された基準データの選択されたセグメントのセットと相関させて、前記複数の相関値を生成するステップと、をさらに含む、請求項１２に記載の方法。
【請求項１４】
前記光学格子からの反射が中心波長を有しており、前記光ファイバは、複数の螺旋状コアを含み、当該方法は、
前記中心波長に対応するスペクトルピークに関する情報を前記測定反射データから減少又は除去して、前記フィルタ処理された測定データを生成するステップと、
前記複数の螺旋状コアの外側のコアに対応する反射格子スペクトルを前記中心波長に戻すように圧縮するステップと、をさらに含む、請求項１２又は１３に記載の方法。
【請求項１５】
前記相関値が閾値を超える場合に、前記光ファイバが前記基準反射データと一致しないと判定するステップ、又は
前記複数の相関値に基づいて、複数の異なる光ファイバから前記光ファイバを特定するステップ、又は
前記複数の相関値に基づいて、光ファイバが干渉測定システムに接続されているかどうかを特定するステップ、又は
前記光ファイバについて検出された反射信号レベルとノイズフロアとの比較に基づいて、干渉測定システムへの光ファイバの望ましくない接続を検出するステップ、をさらに含む、請求項１２乃至１４のいずれか一項に記載の方法。